(57)【特許請求の範囲】
【請求項１】
モビリティ測定セッション中にモビリティ参照信号、ＭＲＳ、を無線デバイス、ＷＤ（１４ａ、１４ｂ）、へ送信するための方法であって、前記方法は無線アクセス・ネットワーク・ノード、ＲＡＮＮ（１１ａ、１１ｂ、１１ｃ）、において実行され、前記ＲＡＮＮは候補ビーム（１５ａ、１５ｂ、１５ｃ、１５ｄ、１５ｅ、１５ｆ、１５ｇ、１５ｈ）の集合を用いて送信するように構成可能であり、前記方法は、
‐モビリティ測定セッションごとに、候補送信ビームの集合内の各候補送信ビームにＭＲＳ識別子を動的に割り当てること（Ｓ１）であって、前記ＭＲＳ識別子は、候補送信ビームごとのＭＲＳシーケンス・パラメータと、候補送信ビームごとのＭＲＳフィールド・パラメータと、を示し、前記ＭＲＳフィールド・パラメータは、時間‐周波数リソース・フィールド・インジケータを含み、候補送信ビームごとの前記ＭＲＳシーケンス・パラメータは、前記ＭＲＳの検出と、同じリソース要素にスタックされた複数のＭＲＳの分離と、のうちの１つ以上を可能にし、前記ＭＲＳシーケンス・パラメータ及び前記ＭＲＳフィールド・パラメータは、所与の候補送信ビームに関する測定を実行するために前記ＷＤがどのようにＷＤ受信機を構成すべきかを示す、ことと、
‐制御情報を前記ＷＤ（１４ａ、１４ｂ）へ送信すること（Ｓ２）であって、前記制御情報は、各対応する候補送信ビームについての前記ＭＲＳ識別子を含む、ことと、
‐前記送信された制御情報に従って、前記ＷＤ（１４ａ、１４ｂ）へ前記モビリティ参照信号、ＭＲＳ、を送信すること（Ｓ３）とを有する、方法。
【請求項２】
前記動的に割り当てること（Ｓ１）は、最適化基準に基づいて、候補送信ビームの前記集合の各候補送信ビームに前記ＭＲＳ識別子を動的に割り当てること（Ｓ１０）を含む、請求項１に記載の方法。
【請求項３】
前記最適化基準は、リソース使用量メトリック及び／又はＭＲＳスタッキング・メトリックを含む、請求項２に記載の方法。
【請求項４】
候補送信ビームの前記集合は、サービングＲＡＮＮ（１１ａ）によって構成された送信ビーム（１５ａ、１５ｂ、１１ｈ）の前記集合の部分集合及び／又は１つ以上の隣接ＲＡＮＮ（１１ｂ、１１ｃ）によって構成された送信ビーム（１５ｃ、１５ｄ、１５ｅ、１５ｆ、１５ｇ）の集合の部分集合を含む、請求項１乃至３の何れか１項に記載の方法。
【請求項５】
前記動的に割り当てること（Ｓ１）は、
‐各候補送信ビームについてビーム識別子を取得すること（Ｓ１１）と、
‐１つ以上のビーム識別子に基づいて候補送信ビームごとの前記ＭＲＳ識別子を判定すること（Ｓ１２）と、を含む、請求項１乃至４の何れか１項に記載の方法。
【請求項６】
前記制御情報は、前記ビーム識別子と候補送信ビームごとの前記ＭＲＳフィールド・パラメータとのペアを含み、前記ビーム識別子は、候補送信ビームごとの前記ＭＲＳシーケンス・パラメータを示す、請求項５に記載の方法。
【請求項７】
前記ビーム識別子は、モビリティ測定セッションにわたって不変のままであり、前記動的に割り当てること（Ｓ１）は、
‐各モビリティ測定セッションについて、候補ビーム・リスト内の前記候補送信ビームの位置に基づいて、候補送信ビームごとの前記ＭＲＳフィールド・パラメータを判定すること（Ｓ１３）を含む、請求項６に記載の方法。
【請求項８】
前記制御情報は、候補送信ビームごとの前記ＭＲＳフィールド・パラメータ又は候補送信ビームごとの前記ビーム識別子と、候補送信ビームごとの前記ＭＲＳシーケンス・パラメータとを含む、請求項６又は７に記載の方法。
【請求項９】
前記動的に割り当てること（Ｓ１）は、ＲＡＮＮ識別子に基づいて候補送信ビームごとの前記ＭＲＳ識別子を判定すること（Ｓ１４）を含む、請求項１乃至８の何れか１項に記載の方法。
【請求項１０】
前記方法は、
‐前記ＭＲＳに割り当てられたリソース要素が未使用であるかを判定し（Ｓ５）、前記ＭＲＳに割り当てられた前記リソース要素が未使用であると判定された場合に、
‐前記未使用のリソース要素を下りリンク・ユーザ・データに割り当てること（Ｓ６）と、
‐前記下りリンク・ユーザ・データの割り当てを示す制御情報を前記ＷＤ（１４ａ、１４ｂ）へ送信すること（Ｓ２２）と、を含む、請求項１乃至９の何れか１項に記載の方法。
【請求項１１】
前記制御情報は、前記ＷＤ（１４ａ、１４ｂ）における前記候補ビーム上での前記対応するＭＲＳの測定を可能にするように構成される、請求項１乃至１０の何れか１項に記載の方法。
【請求項１２】
前記方法は、前記ＷＤ（１４ａ、１４ｂ）から、前記候補ビーム上での前記対応するＭＲＳの前記測定を示す測定報告を受信すること（Ｓ４）を更に有する、請求項１１に記載の方法。
【請求項１３】
前記ＷＤ（１４ａ、１４ｂ）へ制御情報を送信すること（Ｓ２）は、サービング送信ビームを介して前記ＷＤ（１４ａ、１４ｂ）へ前記制御情報を送信すること（Ｓ２１）を含む、請求項１乃至１２の何れか１項に記載の方法。
【請求項１４】
前記送信された制御情報に従って前記ＷＤ（１４ａ、１４ｂ）へ前記ＭＲＳを送信すること（Ｓ３）は、前記候補送信ビームを介して前記ＷＤ（１４ａ、１４ｂ）へ前記ＭＲＳを送信すること（Ｓ３１）を含む、請求項１乃至１３の何れか１項に記載の方法。
【請求項１５】
送信ビームの前記集合内の各送信ビーム又は各候補送信ビームは、セル、セクタ、リレー及び／又はアクセス・ポイントに対応する、請求項１乃至１４の何れか１項に記載の方法。
【請求項１６】
モビリティ測定セッション中にモビリティ参照信号、ＭＲＳ、を無線デバイス、ＷＤ（１４ａ、１４ｂ）、へ送信するための無線アクセス・ネットワーク・ノード、ＲＡＮＮ（１１ａ、１１ｂ、１１ｃ）、であって、前記ＲＡＮＮは候補ビーム（１５ａ、１５ｂ、１５ｃ、１５ｄ、１５ｅ、１５ｆ、１５ｇ、１５ｈ）の集合を用いて送信するように構成可能であり、前記ＲＡＮＮ（１１ａ、１１ｂ、１１ｃ）は、
‐モビリティ測定セッションごとに、候補送信ビームの集合内の各候補送信ビームにＭＲＳ識別子を動的に割り当て、前記ＭＲＳ識別子は、候補送信ビームごとのＭＲＳシーケンス・パラメータと、候補送信ビームごとのＭＲＳフィールド・パラメータと、を示し、前記ＭＲＳフィールド・パラメータは、時間‐周波数リソース・フィールド・インジケータを含み、候補送信ビームごとの前記ＭＲＳシーケンス・パラメータは、前記ＭＲＳの検出と、同じリソース要素にスタックされた複数のＭＲＳの分離と、のうちの１つ以上を可能にし、前記ＭＲＳシーケンス・パラメータ及び前記ＭＲＳフィールド・パラメータは、所与の候補送信ビームに関する測定を実行するために前記ＷＤがどのようにＷＤ受信機を構成すべきかを示し、
‐制御情報を前記ＷＤ（１４ａ、１４ｂ）へ送信し、前記制御情報は、各対応する候補送信ビームについての前記ＭＲＳ識別子を含み、
‐前記送信された制御情報に従って、前記ＷＤ（１４ａ、１４ｂ）へ前記モビリティ参照信号を送信するように構成された処理部（２１０）を有する、無線アクセス・ネットワーク・ノード。
【請求項１７】
無線デバイス、ＷＤ（１４ａ、１４ｂ）、によって実行される、無線アクセス・ネットワーク・ノード、ＲＡＮＮ（１１ａ、１１ｂ、１１ｃ）、によって送信されたモビリティ参照信号、ＭＲＳ、を測定するための方法であって、前記ＲＡＮＮは、送信ビームの集合を用いて送信するように構成可能であり、前記方法は、
‐モビリティ測定セッションごとに、候補送信ビームの集合の候補送信ビームについての前記モビリティ参照信号を示す制御情報を前記ＲＡＮＮ（１１ａ、１１ｂ、１１ｃ）から受信すること（Ｓ２００）であって、前記制御情報は、ＭＲＳ識別子を含み、前記ＭＲＳ識別子は、候補送信ビームごとのＭＲＳシーケンス・パラメータと、候補送信ビームごとのＭＲＳフィールド・パラメータと、を示し、前記ＭＲＳフィールド・パラメータは、時間‐周波数リソース・フィールド・インジケータを含み、候補送信ビームごとの前記ＭＲＳシーケンス・パラメータは、前記ＭＲＳの検出と、同じリソース要素にスタックされた複数のＭＲＳの分離と、のうちの１つ以上を可能にする、ことと、
‐前記候補送信ビームを介して前記モビリティ参照信号を前記ＲＡＮＮ（１１ａ、１１ｂ、１１ｃ）から受信すること（Ｓ２０１）と、
‐所与の候補送信ビームに関する測定を実行するために前記ＭＲＳシーケンス・パラメータ及び前記ＭＲＳフィールド・パラメータに基づいて前記ＷＤの受信機を構成することと、
‐前記受信した制御情報を用いて、前記候補送信ビーム上での前記モビリティ参照信号の測定を実行すること（Ｓ２０２）と、
‐前記ＲＡＮＮ（１１ａ、１１ｂ、１１ｃ）への前記実行した測定を示す測定結果を前記ＲＡＮＮ（１１ａ、１１ｂ、１１ｃ）へ送信すること（Ｓ２０３）と、を有する方法。
【請求項１８】
無線アクセス・ネットワーク・ノード、ＲＡＮＮ（１１ａ、１１ｂ、１１ｃ）、によって送信されたモビリティ参照信号、ＭＲＳ、を測定するための無線デバイス、ＷＤ（１４ａ、１４ｂ）、であって、前記ＲＡＮＮは、送信ビームの集合を用いて送信するように構成可能であり、前記ＷＤ（１４ａ、１４ｂ）は、
‐モビリティ測定セッションごとに、候補送信ビームの集合の候補送信ビームについての前記モビリティ参照信号を示す制御情報を前記ＲＡＮＮ（１１ａ、１１ｂ、１１ｃ）から受信し、前記制御情報は、ＭＲＳ識別子を含み、前記ＭＲＳ識別子は、候補送信ビームごとのＭＲＳシーケンス・パラメータと、候補送信ビームごとのＭＲＳフィールド・パラメータと、を示し、前記ＭＲＳフィールド・パラメータは、時間‐周波数リソース・フィールド・インジケータを含み、候補送信ビームごとの前記ＭＲＳシーケンス・パラメータは、前記ＭＲＳの検出と、同じリソース要素にスタックされた複数のＭＲＳの分離と、のうちの１つ以上を可能にし、
‐前記候補送信ビームを介して前記モビリティ参照信号を前記ＲＡＮＮ（１１ａ、１１ｂ、１１ｃ）から受信し、
‐所与の候補送信ビームに関する測定を実行するために前記ＭＲＳシーケンス・パラメータ及び前記ＭＲＳフィールド・パラメータに基づいて前記ＷＤの受信機を構成し、
‐前記受信した制御情報を用いて、前記候補送信ビーム上での前記モビリティ参照信号の測定を実行し、
‐前記ＲＡＮＮ（１１ａ、１１ｂ、１１ｃ）への前記実行した測定を示す測定結果を前記ＲＡＮＮ（１１ａ、１１ｂ、１１ｃ）へ送信するように構成された処理部（５１０）を有する無線デバイス。
【請求項１９】
モビリティ参照信号の無線デバイスへの送信のためのコンピュータ・プログラムであって、前記コンピュータ・プログラムは、送信ビームの集合を用いて送信するように構成可能な無線アクセス・ネットワーク・ノード、ＲＡＮＮ（１１ａ、１１ｂ、１１ｃ）、の処理部（２１０）で実行される場合に、前記処理部に請求項１乃至１５の何れか１項に記載の方法を行わせるコンピュータ・プログラム・コードを有する、コンピュータ・プログラム。
【発明の詳細な説明】
【技術分野】
【０００１】
本開示は通信ネットワークにおけるモビリティ測定に関し、特にモビリティ参照信号を無線デバイスへ送信するための方法と、関連する無線アクセス・ネットワーク・ノードと、関連する無線デバイスと、関連するコンピュータ・プログラムとに関する。
【背景技術】
【０００２】
ハンドオーバは何れの無線又はモバイル通信ネットワークの必要不可欠な部分である。ハンドオーバは、広いカバレッジ・エリアでのシームレスなサービスを実現するために、（サービング無線アクセス・ネットワーク・ノードと示される）１つの無線アクセス・ネットワーク・ノードから（ターゲット無線アクセス・ネットワーク・ノードと示される）別の無線アクセス・ネットワーク・ノードへ無線デバイスの進行中のコネクションを移すプロセスとして定義されてもよい。ハンドオーバは、無線デバイスへの／からのデータ送信の損失がなく、無線デバイスにとって可能な限り小さな中断で実行されるべきである。
【０００３】
ハンドオーバを可能にするために、ターゲット無線アクセス・ネットワーク・ノードによってサービス提供される適切なターゲット・セルを見つけ、ターゲット・セルにおいて無線デバイスへの／からの信頼できる通信を維持可能であることを保証することが必要である。適切なターゲット無線アクセス・ネットワーク・ノード（及び／又はターゲット・セル）の候補は通常、いわゆる隣接リストに格納されており、隣接リストは少なくともサービング無線アクセス・ネットワーク・ノードに格納されている。ターゲット・セルにおいて無線デバイスへの／からの信頼できる通信を維持可能であることを確かめるために、ハンドオーバを開始できる前にターゲット・セルにおけるコネクション品質が推定される必要がある。
【０００４】
ターゲット・セルのコネクション品質は一般的に、無線デバイスに関する測定によって推定される。下りリンク（ＤＬ、すなわち無線アクセス・ネットワーク・ノードから無線デバイスへの送信）及び／又は上りリンク（ＵＬ、すなわち無線デバイスから無線アクセス・ネットワーク・ノードへの送信）の測定が考慮されてもよい。上りリンク・コネクション品質が、対応する下りリンク・コネクション品質とは異なりうるので、単に上りリンク測定に依存するだけでは十分でないかもしれない。したがって、セルラー通信ネットワークにおけるハンドオーバは一般に下りリンク測定に基づく。
【０００５】
既存のセルラー通信ネットワークにおいて、すべての無線アクセス・ネットワーク・ノード（ＲＡＮＮ）は、ターゲット・セル品質を推定するために隣接セル内の無線デバイス（ＷＤ）が使用するパイロット信号を連続的に送信する。これは、このようなパイロット信号が報知チャネル（ＢＣＣＨ）で送信されるグローバル・システム・フォー・モバイル・コミュニケーション（ＧＳＭ（登録商標））と、このようなパイロット信号が共通パイロット・チャネル（ＣＰＩＣＨ）で送信されるユニバーサル・モバイル・テレコミュニケーションズ・システム（ＵＭＴＳ）と、このようなパイロット信号がセル固有参照信号として送信されるロング・ターム・エボリューション（ＬＴＥ）通信システムとだけでなく、このようなパイロット信号がビーコンとして送信されるＷｉ‐Ｆｉ（登録商標）においても正しい。これは、比較的良好な精度で隣接セルの品質を推定することを可能にする。ＷＤは、定期的に測定を実行し、測定をネットワーク（すなわち、ＲＡＮＮ）へ報告する。サービング・セル品質が候補セル・パワーに近いことが検出されたら、より詳細な測定プロセス又はハンドオーバ手続きが開始されてもよい。しかし、ＲＡＮＮからのシグナリング負荷及びＷＤの処理負荷は、候補ネットワーク・ノードの個数に依存する。よって、ＲＡＮＮからのシグナリング負荷及びＷＤの処理負荷は、多数の候補ネットワーク・ノードに対して大きいかもしれない。
【０００６】
将来のセルラー通信ネットワークは、発展型アンテナ・システムを大幅に使用してもよい。このようなアンテナで、一部の方向での信号強度を増やすために及び／又は他の方向での干渉を低減するために、狭い送信ビームで信号が送信される。カバレッジを増やすためにアンテナが用いられる場合に、サービングＲＡＮＮの送信ビームと隣接ＲＡＮＮの送信ビームとの間でハンドオーバが実行されてもよい。ＲＡＮＮがＷＤと現在通信している送信ビームはサービング・ビームと呼ばれ、ハンドオーバされる先の、すなわち切り替え先の送信ビームはターゲット・ビームと呼ばれる。測定が必要となる可能性のあるターゲット・ビームは候補ビームと呼ばれる。
【０００７】
このような将来のセルラー通信ネットワークですべての個別の送信ビームにおけるパイロット信号の連続送信の原理を適用することは、ＷＤ測定について有用であるかもしれず、ネットワークの性能を低下するかもしれない。例えば、すべての個別の送信ビームにおけるパイロット信号の連続送信は、データに利用可能なリソースを消費するかもしれず、隣接セルにおける大きな干渉と、ＲＡＮＮの高い電力消費とを生むかもしれない。
【０００８】
米国特許出願公開第２０１３／０２７２２６３号は、基地局のための無線送信セクタの複数のスライスにおいて同期信号を送信し、複数のスライスのうち少なくとも１つの好適なスライスの移動局からフィードバックを受信することによって、基地局と移動局との間の通信のための時間、周波数及び空間処理パラメータが選択されることを開示する。基地局と移動局との間の通信のためのアクティブ・スライスとしてスライスのうちの１つを選択したことに応じて、対応する選択されたプリコーダ及び／又はコードブックを用いて、選択されたアクティブ・スライスで参照信号が送信される。移動局は、これらの参照信号に基づいてチャネル状態情報（ＣＳＩ）を推定及びフィードバックし、その後、ＣＳＩは、移動局に固有の、基地局と移動局との間の通信のための通信パラメータを判定するために利用される。同じ時間‐周波数リソースで送信される異なるビームのためのＣＳＩ−ＲＳは、ビーム間干渉が最小化されるように慎重に選ばれるべきである。さらに、ビーム間干渉がさらに抑制されうるように、各ビームについて異なるスクランブリング・シーケンス又は拡散シーケンスが用いられうる。
【０００９】
米国特許出願公開第２０１３／０２７２２６３号は、２つのＣＳＩ−ＲＳが同じ時間‐周波数リソースで送信される場合にＷＤでのビーム間干渉を抑制することに関する。米国特許出願公開第２０１３／０２７２２６３号は、ＲＡＮＮによって開始されたモビリティ測定セッション中のモビリティ信号のリソース使用量及びスタッキングの問題について言及していない。米国特許出願公開第２０１３／０２７２２６３号は、ビーム間のモビリティの問題と、モビリティ信号のリソース使用量の問題と、モビリティ信号のスタッキングの問題とを解決していない。
【００１０】
そこで、モビリティ信号の最小化されたリソース使用量及び低減されたスタッキングを伴う改良されたモビリティ測定セッションが必要である。
【発明の概要】
【００１１】
本開示の目的は、先行技術における上述の欠点及び不利益のうちの１つ以上を単独で又は任意の組み合わせで軽減、緩和又は除去しようとする方法、無線アクセス・ネットワーク・ノード及び無線デバイスを提供することである。
【００１２】
この目的は、無線デバイス、ＷＤ、へのモビリティ測定セッション中に、モビリティ参照信号、ＭＲＳ、を送信するための方法によって得られる。方法は、無線アクセス・ネットワーク・ノード、ＲＡＮＮ、において実行される。ＲＡＮＮは、送信ビームの集合を用いて送信するように構成可能である。方法は、候補送信ビームの集合内の各候補送信ビームにＭＲＳ識別子を動的に割り当てることを有する。方法は、ＷＤへ制御情報を送信することであって、制御信号は各対応する候補送信ビームについてのＭＲＳ識別子を含む、ことと、送信された制御情報に従ってＷＤへモビリティ参照信号ＭＲＳを送信することとを有する。
【００１３】
これによって、ＷＤへの制御情報において候補送信ビームだけが広告され、ＭＲＳ識別子がリソース要素内のモビリティ信号を分離及び検出することを可能にするので、時間・周波数リソース使用量のようなモビリティ測定のためのリソース使用量が低減されることが本開示の利点である。さらに、本開示は有利には同じリソース・フィールドにいくつかのＭＲＳシーケンスをスタッキングすることからの低減された送信損失及び規制上の挑戦を提供する。
【００１４】
一部の側面によれば、無線デバイス、ＷＤ、へのモビリティ測定セッション中に、モビリティ参照信号、ＭＲＳ、を送信するための無線アクセス・ネットワーク・ノード、ＲＡＮＮ。ＲＡＮＮは、送信ビームの集合を用いて送信するように構成可能である。ＲＡＮＮは、候補送信ビームの集合内の各候補送信ビームにＭＲＳ識別子を動的に割り当てるように構成された処理部を備える。処理部は、ＷＤへ制御情報を送信し、制御信号は各対応する候補送信ビームについてのＭＲＳ識別子を含み、送信された制御情報に従ってＷＤへモビリティ参照信号を送信するように構成される。
【００１５】
また、無線アクセス・ネットワーク・ノード、ＲＡＮＮ、によって送信されたモビリティ参照信号を測定するために無線デバイスにおいて実行される方法が開示される。ＲＡＮＮは、送信ビームの集合を用いて送信するように構成可能である。方法は、候補送信ビームの集合の候補送信ビームについてのモビリティ参照信号を示す制御情報をＲＡＮＮから受信することと、候補送信ビームを介してモビリティ参照信号をＲＡＮＮから受信することとを有する。方法は、受信した制御情報を用いて、候補送信ビーム上でのモビリティ参照信号の測定を実行することと、実行された測定を示す測定報告をＲＡＮＮへ送信することとを有する。
【００１６】
この開示はまた、無線アクセス・ネットワーク・ノード、ＲＡＮＮ、によって送信されたモビリティ参照信号を測定するための無線デバイスに関する。ＲＡＮＮは、送信ビームの集合を用いて送信するように構成可能である。無線デバイスは、候補送信ビームの集合の候補送信ビームについてのモビリティ参照信号を示す制御情報をＲＡＮＮから受信し、候補送信ビームを介してモビリティ参照信号をＲＡＮＮから受信するように構成された処理部を備える。処理は、受信した制御情報を用いて、候補送信ビーム上でのモビリティ参照信号の測定を実行し、実行された測定を示す測定報告をＲＡＮＮへ送信するように構成される。
【００１７】
本開示の利点は、ＷＤにおいて実行される方法及びＷＤが、ＷＤにおけるＭＲＳの低減されたＭＲＳ漏れ及び測定エラーを提供することである。さらに、本開示は、候補送信ビームのＭＲＳで（例えば、少ないＯＦＤＭシンボルで）測定が必要となる際のＷＤの低減された電力消費を提供する。
【００１８】
有利には、この開示は、ネットワーク容量と、無線リソース使用率と、エネルギー効率と、個別の無線デバイスに対するリンク性能とを向上する。
【００１９】
上記方法に加えて、ＲＡＮＮにおいて実行された場合に、本教示に従う方法をＲＡＮＮに実行させるコンピュータ・プログラム・コードを有するコンピュータ・プログラムも本書で提供される。
【００２０】
コンピュータ・プログラム、方法は、ＲＡＮＮに関してすでに記載された利点に対応する利点を提供する。
【図面の簡単な説明】
【００２１】
上記は、相異なる図面を通じて同様の参照符号が同じ部分を指す添付の図面で説明されるように、例示の実施形態の以下のより具体的な記載から明らかだろう。図面は必ずしも縮尺通りではなく、その代わりに例示の実施形態を説明する際に強調がなされる。
【図１】本開示の一部の側面に従う例示の通信ネットワークを説明する概略図である。
【図２】本開示の一部の側面に従う例示の無線アクセス・ネットワーク・ノードを説明するブロック図である。
【図３ａ】、
【図３ｂ】この開示の一部の側面に従う無線アクセス・ネットワーク・ノードで実行される方法を説明するフローチャートである。
【図４】この開示の一部の側面に従う無線で実行される方法を説明するフローチャートである。
【図５】この開示の一部の側面に従う例示の無線デバイスを説明するブロック図である。
【発明を実施するための形態】
【００２２】
本教示は、リソース使用量を低減し、ＷＤにおけるモビリティ信号の最適な検出を可能にする効率的なモビリティ測定セッションを提供することに関する。本技術は、任意のネットワーク・ノードにだけではなく、無線通信システム内の任意の無線デバイスにも適用可能である。
【００２３】
発展型アンテナ・システムを使用する無線通信システムにおいて効率的なモビリティ測定を提供するために、ＷＤがＷＤにおいて候補ビームを検出及び測定可能なように、ＲＡＮＮによってモビリティ参照信号ＭＲＳが送信される。１つのアプローチは、無線デバイス、ＷＤ、がモビリティ測定を実行するモビリティ参照信号、ＭＲＳ、を動的に活性化することである。このようなアプローチでは、あるＷＤについてモビリティ測定が必要となるごとに、合理的な候補ビーム集合が判定され、候補ビーム集合の候補ビームについてＭＲＳが活性化される。そして、候補ビーム集合の候補ビームのビームＩＤが、これらの特定の候補ビームにＷＤ測定を制限するためにＷＤへシグナリングされる。これは、隣接内のすべてのノードからのすべてのビームが、現在候補ビームであるか否かにかかわらず、一意のＭＲＳをそれぞれ割り当てられることを必要とする。ＭＲＳ間の分離は、例えば相異なる時間‐周波数フィールドへの多重化を用いて、及び／又は同じ時間‐周波数フィールドを占める（近）直交シーケンスを用いる符号多重化を用いて、実現されてもよい。これは結果として、（ビームＩＤ対ＭＲＳマッピングのような）候補ビームとモビリティ・シグナリング・リソースとの間の固定された１対１マッピング又は固定された割り当てとなる。しかし、このようなアプローチは、隣接内に多数のビームが存在する密なネットワーク・シナリオに拡張可能ではない。隣接内のビームの総数が大きい場合にいくつかの問題が生じる。すなわち、モビリティのために予約されたリソース利用が、隣接内のビームの個数とともに増加する。これに対処するために、複数のＭＲＳが同じリソース・フィールドに多重化又はスタックされてもよい。しかし、ＭＲＳスタッキング又は多重化は、ＲＡＮＮにおける増加した送信損失と、増加した局所スペクトル密度とだけでなく、ＷＤにおける低下したＭＲＳ検出性能と、例えばＭＲＳ間の失った直交性に起因するモビリティ測定の低下した精度とにつながるかもしれない。これに代えて、増加した局所スペクトル密度を避けるために、ビームごとのＭＲＳパワーが低減されてもよい。しかし、これは、望ましくない低下したモビリティ信号カバレッジにつながるだろう。
【００２４】
よって、本開示は、各候補ビームへのＭＲＳ識別子の（フレキシブル・マッピングのような）動的割り当てを用いる技術を提供し、ここで、ＭＲＳ識別子は、ＭＲＳに割り当てられたリソース・フィールドと、（署名シーケンスのような）シーケンスとを示してもよい。本書に開示される技術は、ＷＤモビリティ測定に関連する現在の候補ビームのみに一意のＭＲＳ識別子が割り当てられることを提供する。ＷＤについての候補ビームの量は、隣接内のすべてのノードからのすべてのビームの総数よりもはるかに少ないので、用いられるリソースだけでなく各リソース要素にスタックされるＭＲＳの個数も低減する。その結果、本開示は、拡張可能でありつつ、モビリティ測定のための大規模なリソース使用量を避ける。本開示は、同じリソース・フィールドに多くのＭＲＳをスタックする可能性を最小化する技術を提供し、これによりＷＤにおける検出性能が向上する。
【００２５】
ＲＡＮＮは、本書に開示される方法を実装する回路を備えてもよい。このような回路は、異なる側面に従って、例えば特定用途向け集積回路（ＡＳＩＣ）、フィールド・プログラマブル論理アレイ（ＲＰＧＡ）又は汎用プロセッサとして実装されてもよい。
【００２６】
本開示の側面は、添付の図面を参照して以下により十分に記載される。しかし、本書に開示される無線アクセス・ネットワーク・ノード、無線デバイス及び方法は、多くの異なる形式で実現されてもよく、本書に説明される側面に限定されるものとして解釈されるべきではない。図面における同様の番号は全体を通じて同様の要素を指す。
【００２７】
本書で用いられる用語は、本開示の特定の側面を記載する目的だけのためであり、発明に限定する意図はない。本書で用いられるように、単数形“a”、“an”、“the”は、文脈で明らかに異なることが示される場合を除いて、複数形も同様に含むことが意図される。
【００２８】
図１は、本書で提示される実施形態が適用されうる通信ネットワーク１０を説明する概略図である。通信ネットワーク１０は、無線アクセス・ネットワーク・ノード、ＲＡＮＮ１１ａ、１１ｂ、１１ｃを備える。ＲＡＮＮは、基地送受信局、ノードＢ及び／又は発展型ノードＢのような無線基地局の任意の組み合わせであってもよい。さらに、ＲＡＮＮは、マクロＲＡＮＮ１１ａ、１１ｂと、マイクロ、ピコ又はフェムトＲＡＮＮ１１ｃとの任意の組み合わせであってもよい。各ＲＡＮＮ１１ａ、１１ｂ、１１ｃは、それぞれのカバレッジ領域１２ａ、１２ｂ、１２ｃにおけるネットワーク・カバレッジを、当該カバレッジ領域１２ａ、１２ｂ、１２ｃにおいて送信ビーム１５ａ、１５ｂ、１５ｃ、１５ｄ、１５ｆ、１５ｇ、１５ｈを送信することによって提供する。ＲＡＮＮ１１ａ、１１ｂ、１１ｃは、送信ビーム１５ａ、１５ｂ、１５ｃ、１５ｄ、１５ｆ、１５ｇの集合を用いて送信するように構成可能である。図１の説明例に従って、ＲＡＮＮ１１ａは、送信ビーム１５ａ、１５ｂ、１５ｈを用いて送信するように構成可能であり、ＲＡＮＮ１１ｃは、送信ビーム１５ｃを用いて送信するように構成可能であり、ＲＡＮＮ１１ｂは、送信ビーム１５ｄ、１５ｅ、１５ｆ、１５ｇを用いて送信するように構成可能である。各ＲＡＮＮ１１ａ、１１ｂ、１１ｃは、コア・ネットワーク（不図示）に動作可能に接続されていることが想定される。次いで、コア・ネットワークは、サービス・データ提供広域ネットワークに動作可能に接続されてもよい。
【００２９】
よって、その結果、ＲＡＮＮ１１ａ、１１ｂ、１１ｂのうちの１つによってサービス提供される無線デバイス１４ａ、１４ｂは、広域ネットワークによって提供されるようなサービス及びデータにアクセスしてもよい。無線デバイス１４ａ、１４ｂは、移動局、モバイルフォン、ハンドセット、無線ローカル・ループ・フォン、ユーザ機器（ＵＥ）、スマートフォン、ラップトップ・コンピュータ及び／又はタブレット・コンピュータの任意の組み合わせであってもよい。
【００３０】
無線デバイス１４ａ、１４ｂは移動するかもしれず、又はそのサービング・セル性能が低下するかもしれず、それゆえ１つのＲＡＮＮから別のＲＡＮＮへの、又は少なくとも、１つの送信ビームから別の送信ビームへの無線デバイス１４ａ、１４ｂのハンドオーバを要求する。上述のように、このようなハンドオーバは、無線デバイスへの／からのデータ送信の損失がなく、無線デバイスにとって可能な限り小さな途絶で実行されるべきである。サービング・ビーム及びターゲット・ビームは、同じＲＡＮＮの送信ビームであってもよいし、異なるＲＡＮＮの送信ビームであってもよい。よって、本書で用いられるハンドオーバという用語は、サービング・ビームからターゲット・ビームへのハンドオーバとして解釈されるべきである。
【００３１】
本書に開示される実施形態は、ＲＡＮＮによって可能にされ、例えばＷＤ１４ａ、１４ｂへの現在の下りリンク・データ・チャネルの品質に基づいてＷＤ１４ａ、１４ｂで実行されるモビリティ測定のためのモビリティ参照信号を送信することに関する。モビリティ参照信号は、サービング送信ビーム及び／又は取りうるターゲット送信ビーム（群）を含む候補送信ビームの集合の候補送信ビームにおいて活性化されてもよい。ＷＤ１４ａ、１４ｂは、モビリティ参照信号の測定を実行するように命令されてもよい。そして、測定の結果は、ＲＡＮＮ１１ａ、１１ｂ、１１ｃへ報告されてもよく、適切なビーム切り替え又はセル・ハンドオーバ動作が実行されてもよい。また、送信されるパイロット信号に起因するネットワーク負荷をさらに低減するために、下りリンク・モビリティ・パイロット信号を活性化する決定において上りリンク測定が考慮されてもよい。本書に開示される実施形態は特に、モビリティ測定セッション中に無線デバイス１４ａ、１４ｂへモビリティ参照信号を送信することに関する。このような送信を実行するために、ＲＡＮＮ１１ａ、１１ｂ、１１ｃと、ＲＡＮＮ１１ａ、１１ｂ、１１ｃで実行される方法と、ＲＡＮＮ１１ａ、１１ｂ、１１ｃの処理部で実行された場合に、処理部に本方法を実行させる、例えばコンピュータ・プログラム製品の形式の、コードを有するコンピュータ・プログラムとが提供される。また、ＷＤ１４ａ、１４ｂと、ＷＤ１４ａ、１４ｂによって実行される方法とが提供される。
【００３２】
以下に詳細に、例示のＲＡＮＮが図２に提示され、ＲＡＮＮで実行される方法が図３ａ−ｂで提示される。
【００３３】
図２は、例示のＲＡＮＮ１１ａ、１１ｂ、１１ｃのブロック図を概略的に説明する。図２は、一部の側面に従うＲＡＮＮ１１ａ、１１ｂ、１１ｃの複数の機能部又はコンポーネントを示す。ＲＡＮＮ１１ａ、１１ｂ、１１ｃは、無線デバイス、ＷＤ１４ａ、１４ｂ、へのモビリティ測定セッション中に、モビリティ参照信号、ＭＲＳ、を送信するように構成される。ＲＡＮＮ１１ａ、１１ｂ、１１ｃは、送信ビーム１５ａ、１５ｂ、１５ｃ、１５ｄ、１５ｆ、１５ｇ、１５ｈの集合を用いて送信するように構成可能である。ＲＡＮＮ１１ａ、１１ｂ、１１ｃは、処理部２１０を備える。処理部２１０は、例えば記憶媒体２３の形態のコンピュータ・プログラム製品に格納されたソフトウェア命令を実行可能な適切な中央処理ユニット、ＣＰＵ、と、マイクロプロセッサと、マイクロコントローラと、デジタル信号プロセッサ、ＤＳＰ、と、特定用途向け集積回路、ＡＳＩＣ、と、フィールド・ブログラマブル・ゲート・アレイ、ＦＰＧＡ、との任意の組み合わせを用いて提供される。よって、処理部２１０は、それによって、本書に開示されるような方法を実行するように構成される。処理部２１０は、候補送信ビームの集合の各候補送信ビームへＭＲＳ識別子を動的に割り当てるように構成される。よって、処理部２１０は、例えば割り当てモジュール２１１を備える。ＭＲＳ識別子は、ＭＲＳ、例えばＭＲＳインデックスを識別するとともに、ＭＲＳ送信が割り当てられるリソース要素を少なくとも示す属性を有する。処理部２１０は、ＷＤ１４ａ、１４ｂへ制御情報を送信するように構成され、制御情報は各対応する候補送信ビームについてＭＲＳ識別子を有し、例えば制御情報は各候補送信ビームに割り当てられたＭＲＳ識別子を有し、例えば識別情報は各ＭＲＳ識別子が対応する送信候補ビームに割り当てられるＭＲＳ識別子のリストを有する。そして、ＲＡＮＮ１１ａ、１１ｂ、１１ｃは、例えばインタフェース２１４を備える。処理部２１０は、例えば送信モジュール２１２を備える。送信モジュール２１２は、例えばインタフェース２１４に接続される。処理部２１０は、送信された制御情報に従って、ＷＤ１４ａ、１４ｂへモビリティ参照信号を送信するように構成される。送信モジュール２１２は、例えば（同期チャネルのような）制御チャネルを通じてＷＤ１４ａ、１４ｂへモビリティ参照信号を送信するように構成される。処理部２１０は、機能モジュール２１１、２１２の何れかによって提供されるような命令を読み出し、命令を実行し、それによって本書に開示されるステップの何れかを実行するように処理部が構成される例えば記憶媒体２１２を備える。記憶媒体２１３はまた、例えば磁気メモリ、光学メモリ、固体メモリ又はリモートに搭載されたメモリの任意の単体又は組み合わせでありうる永続ストレージを備えてもよい。インタフェース２１４は、例えば別のＲＡＮＮ１１ａ、１１ｂ、１１ｃ、コア・ネットワーク、及び／又は少なくとも１つの無線デバイス１４ａ、１４ｂとの通信のために構成される。このように、インタフェース２１４は、例えば１つ以上の送信機及び受信機を備え、アナログ及びデジタル・コンポーネントと、無線通信のための適切な個数のアンテナと、有線通信のための適切な個数の有線ポートとを備える。処理部２１０は、例えばデータ及び制御信号をインタフェース２１４へ送信することによって及び／又は記憶媒体２１３からデータ及び命令を読み出すことによって、ＲＡＮＮ１１ａ、１１ｂ、１１ｃの一般的な動作を制御する。ＲＡＮＮ１１ａ、１１ｂ、１１ｃの関連機能とともに他のコンポーネントは、本書で提示される概念をあいまいにしないために省略される。
【００３４】
一部の側面に従って、ＲＡＮＮ１１ａ、１１ｂ、１１ｃは、ＷＤ１４ａ、１４ｂから、候補ビームに関する対応するＭＲＳの測定を示す測定報告を受信するように構成される。処理部２１０は例えば、ＷＤ１４ａ、１４ｂから、候補ビームに関する対応するＭＲＳの測定を示す測定報告を受信するように構成される。送信モジュール２１２は、例えばＷＤ１４ａ、１４ｂから測定報告を受信するための送信及び／又は受信モジュール２１２である。
【００３５】
図３ａ−３ｂは、この開示の一部の側面に従う無線アクセス・ネットワーク・ノードで実行される方法を説明するフローチャートである。方法は、ＲＡＮＮ１１ａ、１１ｂ、１１ｃによって実行される。図３ａは、無線デバイス、１４ａ、１４ｂ、へのモビリティ測定セッション中に、モビリティ参照信号を送信するための方法を示す。ＲＡＮＮ１１ａ、１１ｂ、１１ｃは、ステップＳ１において、候補送信ビームの集合の各候補送信ビームへＭＲＳ識別子を動的に割り当てるように構成される。ＲＡＮＮ１１ａ、１１ｂ、１１ｃは、例えば各モビリティ測定セッションにおいて、候補送信ビームの集合内の各候補送信ビームへＭＲＳ識別子を割り当てる。ＲＡＮＮ１１ａ、１１ｂ、１１ｃは、モビリティ測定セッションごとに動的に割り当てるステップＳ１を実行するように構成される。例えば、モビリティ測定が実行される必要があり、それゆえＭＲＳが活性化される必要があるとの決定がなされた場合に、ＲＡＮＮ１１ａ、１１ｂ、１１ｃは、候補送信ビームの集合を取得又は生成し、その後、各候補送信ビームにＭＲＳ識別子を割り当てる。
【００３６】
一部の側面によれば、候補送信ビームの集合は、サービングＲＡＮＮ１１ａによって構成された送信ビーム１５ａ、１５ｂ、１１ｈの集合の部分集合及び／又は１つ以上の隣接ＲＡＮＮ１１ｂ、１１ｃによって構成された送信ビーム１５ｃ、１５ｄ、１５ｅ、１５ｆ、１５ｇの集合の部分集合を含む。サービングＲＡＮＮ１１ａは、例えば１つ以上の隣接ＲＡＮＮ１１ｂ、１１ｃの送信ビームを含む候補送信ビームに関する制御情報を送信する。これは、隣接内のＷＤへ送信される制御情報の量だけでなく、このような制御情報を送信するために用いられるリソースを最小化する利点を与える。
【００３７】
一部の側面によれば、方法はさらに、ステップＳ１０において、最適化基準に基づいて、候補送信ビームの集合内の各候補送信ビームへＭＲＳ識別子を動的に割り当てることを有する。最適化基準は、例えばリソース使用量メトリック及び／又はＭＲＳスタッキング・メトリックを含む。言い換えると、ＲＡＮＮ１１ａ、１１ｂ、１１ｃは、１１ｃであり、リソース使用量を最小化するために及び／又は同じリソース要素におけるＭＲＳスタッキングを最小化するために、ＭＲＳ識別子を生成し、それを各候補送信ビームに割り当てる。
【００３８】
方法はさらに、ステップＳ２において、ＷＤ１４ａ、１４ｂへ制御情報を送信することを有する。制御情報は、各対応する候補送信ビームについてのＭＲＳ識別子を含む。例えば、制御情報は、各ＭＲＳ識別子が対応する送信候補ビームに割りあてられているＭＲＳ識別子のリストのような、各候補送信ビームに割り当てられたＭＲＳ識別子を含む。言い換えると、ＲＡＮＮ１１ａ、１１ｂ、１１ｃは、ＷＤが候補送信ビーム上でＭＲＳを検出及び測定することを可能にする制御情報をＷＤに提供することによって、次回のＭＲＳ送信をＷＤへシグナリングする。制御情報は、例えば候補送信ビームの集合の１つ以上の候補送信ビームに割り当てられた又はこれに対応する１つ以上のＭＲＳ識別子を含む。ＭＲＳ識別子は、例えば候補送信ビームごとのＭＲＳシーケンス・パラメータと、候補送信ビームごとのＭＲＳフィールド・パラメータとを示す。言い換えると、候補送信ビームごとのＭＲＳシーケンス・パラメータと、候補送信ビームごとのＭＲＳフィールド・パラメータとは、ＷＤにおいてＭＲＳ識別子から導出可能である。ＷＤは、所与の候補送信ビームに関する測定を実行するために、候補送信ビームごとのＭＲＳシーケンス・パラメータと候補送信ビームごとのＭＲＳフィールド・パラメータとに従って自身の受信機を構成する。１つ以上の実施形態において、サービングＲＡＮＮは、ＭＲＳ識別子のリストを含む制御情報をシグナリングし、各ＭＲＳ識別子は、それぞれの候補送信ビームに対応する。これは、ビーム識別子とＭＲＳ識別子との間のマッピングが各モビリティ・セッションで変化し、ＷＤに未知である場合に有利であってもよい。
【００３９】
一部の側面によれば、ＭＲＳフィールド・パラメータは、時間‐周波数リソース・フィールド・インジケータを含む。候補送信ビームごとのＭＲＳシーケンス・パラメータは、例えばＭＲＳの検出及び／又は同じリソース要素上にスタックされたＭＲＳの分離を可能にする。方法は、送信された制御情報に従って、ＷＤ１４ａ、１４ｂへモビリティ参照信号、ＭＲＳ、を送信することを有する。次のステップのステップＳ３で、ＲＡＮＮは、送信された制御情報に従って、ＷＤ１４ａ、１４ｂへモビリティ参照信号、ＭＲＳ、を送信する。これは、ＲＡＮＮ１１ａ、１１ｂ、１１ｃが、例えば制御信号に示されたＭＲＳシーケンスに従って、そして例えば制御情報に示されたリソース要素（例えば、時間‐周波数リソース・フィールド）に規定されたＭＲＳを送信することを暗に示す。これは、隣接内に存在する送信ビームの全体集合の部分集合である候補送信ビームの集合だけに関して測定が実行されるという利点を与えてもよい。
【００４０】
１つ以上の実施形態では、制御情報は、ＷＤ１４ａ、１４ｂにおける候補ビームに関する対応するＭＲＳの測定を可能にするように構成される。本書に開示される方法は、例えば、ＷＤ１４ａ、１４ｂから、候補ビームに関する対応するＭＲＳの測定を示す測定報告を受信することＳ４を有する。ＲＡＮＮ１１ａ、１１ｂ、１１ｃは、ステップＳ４で、ＷＤ１４ａ、１４ｂから、候補ビームに関する対応するＭＲＳの測定を示す測定報告を受信するように構成される。
【００４１】
一部の側面によれば、動的に割り当てるステップＳ１は、各候補送信ビームについてビーム識別子を取得することＳ１１と、１つ以上のビーム識別子に基づいて候補送信ビームごとのＭＲＳ識別子を判定することＳ１２とを含む。ＲＡＮＮ１１ａ、１１ｂ、１１ｃは、ステップＳ１１において、各送信ビームについてビーム識別子を取得し、ステップＳ１２において、１つ以上のビーム識別子に基づいて候補送信ビームごとのＭＲＳ識別子を判定するように構成される。例えば、ＲＡＮＮ１１ａ、１１ｂ、１１ｃは、ＲＡＮＮ１１ａ、１１ｂ、１１ｃによって構成可能な送信ビームの集合の送信ビームのような、各候補送信ビームについてのビーム識別子を生成し、受信し、又は記憶媒体２１３から読み出す。
【００４２】
提案される技術が適用可能である説明例では、Ｎ個のリソース要素（例えば、時間‐周波数Ｔ／Ｆフィールド）が、ＲＡＮＮ１１ａ、１１ｂ、１１ｃの隣接内のＭ個の候補ビームについてのモビリティ参照信号を送信するために予約される。ＷＤの候補ビームの集合は、モビリティ測定セッションにおいてＫ個の候補ビームで構成される。各フィールドは、１つのＯＦＤＭシンボルに複数のサブキャリアを占め、タイミング同期フィールドは例えば各ＭＲＳフィールドに関連する。モビリティ測定セッションは、モビリティ参照信号が送信される、ＲＡＮＮ隣接内に存在するＭ個のビームのうちビーム識別子ｂ0...ｂK-1を有するＫ個の候補ビームを提示する。ＭＲＳに利用可能であるＬ個のシーケンスが提供される。その後、ＲＡＮＮ１１ａ、１１ｂ、１１ｃは、例えば以下の式を用いてＭＲＳ識別子を制御する。
0006484338.tif 000002
ここで、ｂkはビーム識別子を示し、Ｎは利用可能なリソース要素数を示し、Ｌは利用可能なシーケンス数を示す。
【００４３】
ＮＬ≧Ｍである１つ以上の実施形態において、マッピングは例えば以下に単純化される。
0006484338.tif 000003
【００４４】
ＭＲＳ識別子を所与として、ＷＤは、例えば以下のように、ＭＲＳシーケンス・パラメータＭＲＳｓｅｑkと、ＭＲＳフィールド・パラメータＭＲＳｆｌｄkとを判定できる。
0006484338.tif 000004
【００４５】
ＲＡＮＮ１１ａ、１１ｂ、１１ｃは、各候補ビームにＭＲＳ識別子を割り当て、それを制御情報において、例えばシグナリング・スキームに従ってＷＤへシグナリングする。ＲＡＮＮ１１ａ、１１ｂ、１１ｃは、ＷＤへオーバー・ジ・エアでモビリティ参照信号を送信する。ＭＲＳシーケンス・パラメータ及びＭＲＳフィールド・パラメータの割り当てパターンはＷＤに既知であり、ＷＤはそれを、正しく判定されたＭＲＳシーケンス・パラメータ・シーケンス及びＭＲＳフィールド・パラメータに従ってモビリティ測定について自身の受信機を構成するために適用する。
【００４６】
この開示の一部の側面によれば、ＲＡＮＮ１１ａ、１１ｂ、１１ｃは、モビリティ測定セッションごとに動的に割り当てるステップＳ１を実行するように構成される。処理部２１０は、リソース要素にわたって可能な限り均等な分布又はスタッキングを取得するために、候補送信ビームの集合内の各候補送信ビームへＭＲＳ識別子を動的に割り当てるように構成される。処理部２１０は、例えば以下のようにＭＲＳ識別子を算出する。
0006484338.tif 000005
ここで、ｋはビーム識別子のインデックスを示し（例えば、Ｋ個の候補ビームのリスト内のビーム・インデックスｋ＝０，...，Ｋ−１）、Ｎは利用可能なリソース要素数を示し、Ｌは利用可能なシーケンス数を示す。例えば、Ｋ＜＜ＮＬである場合に、ＭＲＳ識別子は以下のように算出される。
0006484338.tif 000006
【００４７】
ＲＡＮＮ１１ａ、１１ｂ、１１ｃは、各候補送信ビームについてのＭＲＳ識別子ＭＲＳｉｄkを含む制御情報を送信する。その後、ＭＲＳシーケンス・パラメータ及びＭＲＳフィールド・パラメータは、ＷＤにおいて、上記のようにＭＲＳ識別子から抽出されうる。言い換えると、処理部２１０は、初めに、利用可能なリソース要素をＭＲＳに割り当て、その後、割り当てられるべきＭＲＳが割り当てられるまで、同じリソース要素へのフィリングを繰り返す。これは、個別のリソース要素において最小化されたＭＲＳスタッキングを与えてもよい。よって、本開示は、多量のＭＲＳが送信され、瞬時候補ビームＩＤ組み合わせに起因する過度なスタッキングが一部のリソース要素で生じるかもしれない効率的なモビリティ測定セッションと、少ない拡散したリソース要素だけが使用されるモビリティ管理セッションとをサポートする。
【００４８】
一部の側面によれば、ＲＡＮＮ１１ａ、１１ｂ、１１ｃは、分配シーケンスに基づいて各候補送信ビームへのリソース要素割り当てを示すＭＲＳ識別子を動的に割り当てるように構成される。処理部２１０は、例えば、分配シーケンスに基づいて各候補送信ビームについてのＭＲＳにリソース要素を割り当てるように構成される。分配シーケンスは例えば以下として採用される。
0006484338.tif 000007
ここで、Ｑは例えば以下に定義される分配シーケンスである。
0006484338.tif 000008
ここで、Ｎはリソース要素数を示し、Ｓは各リソース要素でスタックされるＭＲＳの最大数（例えば、スタッキング高さ）を示す。
【００４９】
分配シーケンスは、第１リソース要素“Ｎ”（すなわち、ＭＲＳについてのＴ／Ｆフィールド）をＳ個のＭＲＳ（例えば、Ｓ個のＭＲＳシーケンス）に割り当て、その後、次のフィールド“Ｎ＋１”をＳ個のＭＲＳ（例えば、Ｓ個のＭＲＳシーケンス）に割り当て、リソース要素“ＳＮ”まで次のリソース要素“Ｎ＋２”に関する割り当てを続けることとしてみなされうる。処理部２１０は、各候補送信ビームｋについてのＭＲＳ識別子、すなわちＭＲＳｉｄkをＷＤにシグナリングするように構成され、ＷＤは式（２）（３）のような事前に決定されたマッピングに従って関連するＭＲＳシーケンス・パラメータ及びＭＲＳフィールド・パラメータを抽出できる。言い換えると、ＷＤはシグナリングを介して又は例えば標準プロトコルで特定されるようにＮを既知であるが、ＲＡＮＮはネットワークによって選ばれたがＷＤに未知であるＳの値をシグナリングするように構成される。この開示は、ＭＲＳ信号によって占められるリソース要素数を最小化し、選択された最大ＭＲＳスタッキング高さＳに準拠することを可能にする。これは、現在のモビリティ・セッションの候補送信ビームの集合のサイズＫが候補送信ビームの集合の典型的なサイズＫｔｙｐよりも小さいならば有効であってもよい。
【００５０】
一部の側面によれば、制御情報は、ビーム識別子と候補送信ビームごとのＭＲＳフィールド・パラメータとのペアを含み、ビーム識別子は、候補送信ビームごとのＭＲＳシーケンス・パラメータを示す。サービングＲＡＮＮは、例えばペア｛ＢｅａｍＩＤ，ＭＲＳｆｌｄ｝のリストを含む制御情報をシグナリングする。ＷＤは、各ビーム識別子ＢｅａｍＩＤから例えば対応するＭＲＳシーケンス・パラメータを抽出する。これは、例えばｂｅａｍＩＤ対ＭＲＳｉｄマッピングがセッションにわたって不変のままであり、ＭＲＳフィールド・パラメータだけが各セッションで更新される場合に有利であってもよい。ＷＤは有利にはセッションにわたる同じビーム識別子から個別の候補ビームを識別できる。
【００５１】
１つ以上の実施形態では、ビーム識別子はモビリティ測定セッションにわたって不変のままであり、ＲＡＮＮ１１ａ、１１ｂ、１１ｃは、ステップＳ１３で、各モビリティ測定セッションについて、候補ビーム・リスト内の候補送信ビームの位置に基づいて候補送信ビームごとのＭＲＳフィールド・パラメータを判定するように構成される。例えば、候補ビームとＭＲＳシーケンスとの間のマッピングは、セッションにわたって一定のままである。ＭＲＳフィールド・パラメータは、例えばＭＲＳ識別子（及びビーム識別子ｂk）に基づいて判定されない。ＲＡＮＮ１１ａ、１１ｂ、１１ｃは、例えば以下のように候補ビーム・リスト内の候補送信ビームを指し示すパラメータのような候補ビーム・リスト内の候補送信ビームの位置に基づいて候補送信ビームごとのＭＲＳフィールド・パラメータに構成される。
0006484338.tif 000009
【００５２】
ＭＲＳ識別子は、候補送信ビームごとのＭＲＳフィールド・パラメータと、候補送信ビームごとのＭＲＳシーケンス・パラメータとを示す。例えば、候補送信ビームごとのＭＲＳフィールド・パラメータＭＲＳｆｌｄk及び候補送信ビームごとのＭＲＳシーケンス・パラメータＭＲＳｓｅｑkは、以下のようにＭＲＳ識別子から導出可能である。
0006484338.tif 000010
【００５３】
１つ以上の実施形態において、制御情報は、候補送信ビームごとの別個のＭＲＳシーケンス・パラメータＭＲＳｓｅｑk（又はｂk）と、候補送信ビームごとのＭＲＳフィールド・パラメータＭＲＳｆｌｄkとを含む。
【００５４】
ＭＲＳ識別子を判定するための異なる方法が存在してもよい。この開示で例だけが提供される。
【００５５】
１つ以上の実施形態では、制御情報は候補送信ビームごとのＭＲＳフィールド・パラメータを含む。これに代えて、制御情報は、例えば候補送信ビームごとのビーム識別子と、候補送信ビームごとのＭＲＳシーケンス・パラメータとを含む。
【００５６】
一部の側面によれば、動的に割り当てるステップＳ１は、ＲＡＮＮ識別子に基づいて候補送信ビームごとのＭＲＳ識別子を判定することＳ１４を含む。ＲＡＮＮ１１ａ、１１ｂ、１１ｃは、ステップＳ１４において、ＲＡＮＮ識別子に基づいて候補送信ビームごとのＭＲＳ識別子を判定するように構成される。ＲＡＮＮ１１ａ、１１ｂ、１１ｃは、例えばＮＬ≧Ｍについて以下のようにＭＲＳ識別子を生成する。
0006484338.tif 000011
ここで、ＡはＲＡＮＮ識別子（例えば、現在のＲＡＮＮ隣接内のＲＡＮＮインデックス）を示し、Ｋｍａｘは最大候補集合サイズを示し、ｋはビーム識別子のインデックス又はビーム識別子を示す。Ｋｍａｘは好適にはＮの倍数であってもよい。
【００５７】
ＲＡＮＮ１１ａ、１１ｂ、１１ｃは、例えば式（１０）に従って生成されたＭＲＳ識別子を含む制御情報を送信するように構成される。制御情報を受信するＷＤは、以下に従ってＭＲＳ識別子から例えばＲＡＮＮ識別子を抽出する。
0006484338.tif 000012
【００５８】
これは、ＡｍａｘＫｍａｘ＜ＮＬである通常のシナリオに適用可能な例についてである。この開示は、例えば、ＲＡＮＮ識別子を検出することによって、以前に取得されたＲＡＮＮ固有のタイミング及び周波数同期パラメータをＷＤが再利用することを可能にする。
【００５９】
一部の側面によれば、本書に開示される方法は、ＭＲＳに割り当てられたリソース要素が未使用であるかを判定することＳ５を含む。ＭＲＳに割り当てられたリソース要素が未使用であると判定された場合に、本書に開示される方法は、未使用のリソース要素を下りリンク・ユーザ・データに割り当てることＳ６と、下りリンク・ユーザ・データ割り当てを示す制御情報をＷＤ１４ａ、１４ｂへ送信することＳ２２とを含む。ＲＡＮＮ１１ａ、１１ｂ、１１ｃは、ステップＳ５で、ＭＲＳに割り当てられたリソース要素が未使用であるかを判定するように構成される。ＭＲＳに割り当てられたリソース要素が未使用であるとＲＡＮＮが判定した場合に、ＲＡＮＮ１１ａ、１１ｂ、１１ｃは、ステップＳ６で，未使用のリソース要素を下りリンク・ユーザ・データに割り当て、ステップＳ２２で下りリンク・ユーザ・データ割り当てを示す制御情報をＷＤ１４ａ、１４ｂへ送信するように構成される。例えば、ＲＡＮＮは、モビリティ測定セッション中のＭＲＳ割り当てについてリソース要素（例えば、Ｔ／Ｆリソース）を割り当てる際にモビリティ・サブフレーム中のＤＬデータ・スケジューリングを考慮する。例えば、ＭＲＳについて予約されたリソース・ブロックが利用されていないならば、ＲＡＮＮはデータについてこれらのリソース・ブロックを使用する。言い換えると、ＲＡＮＮは、例えばＷＤが対応するレート・デマッチングを適用できるようにＤＬ制御チャネル内でＷＤへシグナリングするフレキシブル・レート・マッチングを適用する。
【００６０】
１つ以上の実施形態では、ＷＤ１４ａ、１４ｂへ制御情報を送信することＳ２は、サービング送信ビームを介してＷＤ１４ａ、１４ｂへ制御情報を送信することＳ２１を含む。
【００６１】
１つ以上の実施形態では、送信された制御情報に従ってＷＤ１４ａ、１４ｂへＭＲＳを送信することＳ３は、候補送信ビームを介してＷＤ１４ａ、１４ｂへＭＲＳを送信することＳ３１を含む。
【００６２】
１つ以上の実施形態では、送信ビームの集合内の各送信ビーム又は各候補送信ビームは、セル、セクタ、リレー及び／又はアクセス・ポイントに対応する。
【００６３】
開示される方法は、各ＲＡＮＮ（例えば、各候補ＲＡＮＮ）で、又は隣接内の候補ＲＡＮＮにわたって合同で実行されてもよい。同期されたネットワークでは、開示された方法を合同で実行することは更に、リソース使用量の低減、処理複雑度の低減及び／又は測定品質向上を容易にしてもよい。
【００６４】
図４は、この開示の一部の側面に従う無線で実行される方法を説明するフローチャートである。方法は、無線アクセス・ネットワーク・ノード、ＲＡＮＮ１１ａ、１１ｂ、１１ｃ、によって送信されたモビリティ参照信号を測定するために無線デバイス１４ａ、１４ｂで実行される。ＲＡＮＮは、送信ビームの集合を用いて送信するように構成可能である。無線デバイス、１４ａ、１４ｂは、候補送信ビームの集合の候補送信ビームについてのモビリティ参照信号を示す制御情報をＲＡＮＮ１１ａ、１１ｂ、１１ｃから受信するＳ２００。制御情報は、ＭＲＳ識別子を含む。無線デバイス、１４ａ、１４ｂは、制御情報から、例えば各ＭＲＳ識別子から、受信されるべきＭＲＳを示すＭＲＳフィールド・パラメータ及びＭＲＳシーケンス・パラメータを読み出す。無線デバイス、１４ａ、１４ｂは、制御情報に従って自身のインタフェース５１４を構成する。無線デバイス、１４ａ、１４ｂは、候補送信ビームを介してモビリティ参照信号をＲＡＮＮ１１ａ、１１ｂ、１１ｃから受信するＳ２０１。無線デバイス１４ａ、１４ｂは、受信した制御情報を用いて、候補送信ビーム上のモビリティ参照信号の測定Ｓ２０２を実行し、ＲＡＮＮ１１ａ、１１ｂ、１１ｃへの実行された測定を示す測定報告をＲＡＮＮ１１ａ、１１ｂ、１１ｃへ送信するＳ２０３。
【００６５】
図５は、本開示の一部の側面に従う例示の無線デバイス１４ａ、１４ｂを説明するブロック図である。無線デバイス１４ａ、１４ｂは、無線アクセス・ネットワーク・ノード、ＲＡＮＮ１１ａ、１１ｂ、１１ｃによって送信されたモビリティ参照信号を測定するように構成され、ＲＡＮＮは、送信ビームの集合を用いて送信するように構成可能である。無線デバイス１４ａ、１４ｂは、候補送信ビームの集合の候補送信ビームについてのモビリティ参照信号を示す制御情報をＲＡＮＮ１１ａ、１１ｂ、１１ｃから受信し、候補送信ビームを介してモビリティ参照信号をＲＡＮＮ１１ａ、１１ｂ、１１ｃから受信するように構成された処理部５１０を備える。よって、処理部５１０は、例えば送信／受信部５１１を備える。処理部５１０は、受信した制御情報を用いて、候補送信ビーム上のモビリティ参照信号の測定を実行し、ＲＡＮＮ１１ａ、１１ｂ、１１ｃへの実行された測定を示す測定報告をＲＡＮＮ１１ａ、１１ｂ、１１ｃへ送信するように構成される。よって、処理部５１０は、例えば実行部５１２を備える。処理部５１０は、機能モジュール５１１、５１２の何れかによって提供されるような命令を読み出し、命令を実行し、それによって本書に開示されるステップの何れかをＷＤで実行するように処理部５１０が構成される例えば記憶媒体５１３を備える。記憶媒体５１３はまた、例えば磁気メモリ、光学メモリ、固体メモリ又はリモートに搭載されたメモリの任意の単体又は組み合わせでありうる永続ストレージを備えてもよい。
【００６６】
１つ以上の実施形態では、ＷＤは、ＲＡＮＮからシグナリングされたＭＲＳ識別子に基づいて、処理される予定であるリソース要素（例えば、ＯＦＤＭシンボル）の部分集合を判定し、サブフレームの残りの間にマイクロスリープを適用する。
【００６７】
図１〜図５は、濃い境界で説明されるいくつかのモジュール又は動作及び点線の境界で説明されるいくつかのモジュール又は動作を含むことが理解されるべきである。濃い境界に含まれるモジュール又は動作は、最も広い例の実施形態に含まれるモジュール又は動作である。点線の境界に含まれるモジュール又は動作は含まれるか一部であってもよい例示の実施形態であるか、濃い境界の例示の実施形態のモジュール又は動作に加えて考慮されてもよい更なるモジュール又は動作である。これらの動作は順番に実行される必要ないことが理解されるべきである。さらに、動作のすべてが実行される必要があるわけではないことが理解されるべきである。例示の動作は任意の順番及び任意の組み合わせで実行されてもよい。
【００６８】
図３ａ−３ｂ、図４の例示の動作は任意の個数のＲＡＮＮ又はＷＤについて同時に実行されてもよいことが理解されるべきである。
【００６９】
本開示の側面は、図面、例えばブロック図又はフローチャートを参照して記載される。図面のいくつかのエンティティ、例えばブロック図のブロック及び図面のエンティティの組み合わせは、コンピュータ可読メモリに格納可能なコンピュータ・プログラム命令であって、コンピュータ又は他のプログラマブル・データ処理装置にロード可能な命令によって実装可能である。このようなコンピュータ・プログラム命令は、コンピュータ及び／又は他のプログラマブル・データ処理装置を介して実行される命令がブロック図及び／又はフローチャート・ブロック又はブロック群で特定される命令／動作を実装するための手段を生成するように、機械を生産するように汎用コンピュータ、特定用途コンピュータ及び／又は他のプログラマブル・データ処理装置のプロセッサに提供されうる。
【００７０】
一部の実装で本開示の一部の側面に従って、ブロックに記される機能又はステップは、動作説明に記される順番以外で生じうる。例えば、関連する機能／動作に依存して、連続して示される２つのブロックは、実際には略同時に実行されてもよく、ブロックは時には逆の順番で実行されてもよい。また、ブロックに記される機能又はステップは、本開示の一部の側面に従ってループで連続的に実行されてもよい。
【００７１】
図面及び明細書で、本開示の例示の側面が開示されてきた。しかし、本開示の原理を実質的に逸脱せずに、多くの変形及び修正がこれらの側面になされてもよい。よって、本開示は限定ではなく例示とみなされるべきであり、上述の特定の側面に限定されない。したがって、特定の用語が用いられるが、これらは一般的及び記述的な意味でのみ用いられ、限定の目的ではない。
【００７２】
本書で与えられる例示の実施形態の記載は、説明の目的で提示されてきた。記載は、包括的であること又は開示される正確な形式に例示の実施形態を限定することを意図しておらず、上述の教示に照らして修正及び変形が可能であり、提供される実施形態の様々な代替の実施から修正及び変形が取得されてもよい。当業者が予期される特定の使用に適した様々なやり方で及び様々な変形で例示の実施形態を利用可能なように様々な例示の実施形態及びその実用の原理及び特性を説明するために本書で議論される例が選ばれ記載された。本書に記載される実施形態の特徴は、方法、装置、モジュール、システム及びコンピュータ・プログラム製品のすべての可能な組み合わせに組み合わされてもよい。本書に提示される例示の実施形態は互いに任意の組み合わせで実施されてもよいことが理解されるべきである。
【００７３】
“Comprising（備える）”という語は列挙されたもの以外の要素又はステップの存在を必ずしも排除するものではなく、要素に先行する“a”又は“an”という語は複数のこのような要素の存在を排除しないことに留意されるべきである。任意の参照符号は請求の範囲を制限せず、例示の実施形態はハードウェアとソフトウェアとの両方によって少なくとも部分的に実装されてもよく、いくつかの“手段”、“部”又は“デバイス”は、ハードウェアの同じアイテムによって表されてもよいことがさらに留意されるべきである。
【００７４】
本書に記載される様々な例示の実施形態は、一般的な文脈の方法ステップ又はプロセスで記載され、これらは１つの側面ではネットワーク環境内のコンピュータで実行されるプログラム・コードのようなコンピュータ実行可能命令を含むコンピュータ可読媒体に具現化されるコンピュータ・プログラム製品によって実装されてもよい。コンピュータ可読媒体は、リードオンリメモリ（ＲＯＭ）、ランダムアクセスメモリ（ＲＡＭ）、コンパクトディスク（ＣＤ）、デジタルバーサタイルディスク（ＤＶＤ）などを含むがこれらに限定されない取り外し可能又は取り外し不可能なストレージ・デバイスを含んでもよい。一般に、プログラム・モジュールは、特定のタスクを実行する又は特定の抽象データ型を実装するルーチン、プログラム、オブジェクト、コンポーネント、データ構造等を含んでもよい。コンピュータ実行可能命令、関連するデータ構造及びプログラム・モジュールは、本書に開示される方法のステップを実行するためのプログラム・コードの例を表す。このような実行可能命令の特定のシーケンス又は関連するデータ構造は、このようなステップ又はプロセスに記載される機能を実装するための対応する動作の例を表す。
【００７５】
図面及び明細書で、例示の実施形態が開示されてきた。しかし、多くの変形及び修正がこれらの実施形態になされうる。したがって、特定の用語が用いられるが、これらは一般的及び記述的な意味でのみ用いられ、限定の目的ではなく、実施形態の範囲は以下の特許請求の範囲によって規定される。
【図１】
0006484338.tif 000013
【図２】
0006484338.tif 000014
【図３ａ】
0006484338.tif 000015
【図３ｂ】
0006484338.tif 000016
【図４】
0006484338.tif 000017
【図５】
0006484338.tif 000018